(57)【要約】      （修正有）【課題】分割した画像領域の繋ぎ目で境界が目立つことを防止しつつも、広画角化や小型化を達成できる画像表示装置を提供する。【解決手段】画像表示装置２００は、分割された複数の領域に対応する画像光を射出する複数の表示素子と、複数の表示素子から射出された画像光を観察者の眼に対応する位置に射出する接眼光学系とを備え、接眼光学系は、複数の領域の境界を含むブレンディング領域で映像を重畳させ、ブレンディング領域の境界に直交する方向の重畳角度幅を中心視野側よりも周辺視野側で狭くする。【選択図】図１
2019074679.tif 000002
【特許請求の範囲】
【請求項１】
分割された複数の領域に対応する画像光を射出する複数の表示素子と、
前記複数の表示素子から射出された画像光を観察者の眼に対応する位置に射出する接眼光学系とを備え、
前記接眼光学系は、前記複数の領域の境界を含むブレンディング領域で映像を重畳させ、
前記ブレンディング領域の前記境界に直交する方向の重複角度幅を中心視野側よりも周辺視野側で狭くする、画像表示装置。
【請求項２】
前記ブレンディング領域として、中心視野側のブレンディング領域と周辺視野側のブレンディング領域とを有し、
前記中心視野側のブレンディング領域の重複角度幅は、前記周辺視野側のブレンディング領域の重複角度幅よりも広い、請求項１に記載の画像表示装置。
【請求項３】
前記接眼光学系は、前記複数の光学系部分を含む、請求項１及び２のいずれか一項に記載の画像表示装置。
【請求項４】
正面を見ているときの視軸に対する前記複数の光学系部分の光軸の角度を前記接眼光学系の半画角の半分よりも小さくする、請求項３に記載の画像表示装置。
【請求項５】
前記複数の光学系部分の光軸の前記視軸に対する所定方向に関する角度θは、前記接眼光学系を構成する各光学系部分の前記所定方向に関する画角をαとして、以下の式（１）で与えられる範囲とする、請求項４に記載の画像表示装置。
０＜｛（α／２−θ）／α｝＜０．４      …      （１）
【請求項６】
前記ブレンディング領域は、前記複数の領域の境界で直線的に延びる、請求項１〜５のいずれか一項に記載の画像表示装置。
【請求項７】
前記ブレンディング領域は、正面を見ているときの視軸に対してシフトした位置に配置される、請求項１〜６のいずれか一項に記載の画像表示装置。
【請求項８】
前記複数の領域は、眼の並ぶ横方向に配列されるとともに、眼の並ぶ横方向に直交する縦方向に配列される、請求項１〜７のいずれか一項に記載の画像表示装置。
【請求項９】
前記縦方向に延びるブレンディング領域の前記横方向の重畳角度幅は、前記横方向に延びるブレンディング領域の前記縦方向の重畳角度幅よりも狭い、請求項８に記載の画像表示装置。
【請求項１０】
前記接眼光学系の結像特性を反映して前記複数の表示素子の前記ブレンディング領域における表示に関して補正処理を行う制御回路部をさらに備える、請求項１〜９のいずれか一項に記載の画像表示装置。
【請求項１１】
前記制御回路部は、前記ブレンディング領域における表示に対する補正処理に関してユーザーからの設定を受け付ける、請求項１〜１０のいずれか一項に記載の画像表示装置。
【請求項１２】
前記表示素子は、有機ＥＬ表示デバイス、液晶表示デバイス、及びレーザー走査型の表示デバイスのうちいずれかである、請求項１〜１１のいずれか一項に記載の画像表示装置。
【発明の詳細な説明】
【技術分野】
【０００１】
本発明は、映像を観察者に提示する画像表示装置に関し、特に複数の表示素子から射出された画像光を観察者の眼に射出する接眼光学系を有する画像表示装置に関する。
【背景技術】
【０００２】
ヘッドマウントディスプレイ（以下、ＨＭＤとも言う）として、複数の画像表示手段が互いに異なった表示画像を表示し、観察光学系が各画像表示手段毎に設けた合成反射面で各表示画像からの光束を反射させ、該複数の反射面からの光束を１つの光学系を介して観察者に導光するものが公知となっている（特許文献１、２）。特に、特許文献２では、互いに一部が重複する原画について合成表示を行うことも開示されている。
【０００３】
しかしながら、上記のＨＭＤでは、分割した画像領域の繋ぎ目で複数の虚像同士の境界がはっきり見えてしまう可能性がある。また、画像領域の重複を大きくする場合、設計目標の画角を満たすためには光学系の画角を増す必要があり（それには光学系をより大きくする必要があり）、小型化の妨げになる。また、上記の場合は、より広角化する際にも妨げになってしまう。
【先行技術文献】
【特許文献】
【０００４】
【特許文献１】特開平０８−２４０７８６号公報
【特許文献２】特開２００９−３１２８号公報。
【発明の概要】
【０００５】
本発明は、分割した画像領域の繋ぎ目で境界が目立つことを防止しつつも、広画角化や小型化を達成できる画像表示装置を提供することを目的とする。
【０００６】
本発明に係る画像表示装置は、分割された複数の領域に対応する画像光を射出する複数の表示素子と、複数の表示素子から射出された画像光を観察者の眼に対応する位置に射出する接眼光学系とを備え、接眼光学系は、複数の領域の境界を含むブレンディング領域で映像を重畳させ、ブレンディング領域の境界に直交する方向の重畳角度幅を中心視野側よりも周辺視野側で狭くする。
【０００７】
上記接眼光学系では、ブレンディング領域の境界に直交する方向の重畳角度幅を中心視野側よりも周辺視野側で狭くするので、中心視野側の画像の繋ぎ目を比較的目立たないものとできるとともに、周辺視野側の画像の繋ぎ目を狭くして光学系の重複を少なくすることができる。これにより、分割した画像領域の繋ぎ目で境界が目立つことを防止しつつ、広画角化や小型化を達成できる。
【０００８】
本発明の具体的な側面では、ブレンディング領域として、中心視野側のブレンディング領域と周辺視野側のブレンディング領域とを有し、中心視野側のブレンディング領域の重畳角度幅は、周辺視野側のブレンディング領域の重畳角度幅よりも広い。
【０００９】
本発明の別の側面では、接眼光学系は、複数の光学系部分を含む。つまり、複数の光学系部分によって映像光がそれぞれ結像され、隣接方にはみ出すブレンディング領域で映像を重畳させることになる。
【００１０】
本発明のさらに別の側面では、正面を見ているときの視軸に対する複数の光学系部分の光軸の角度を接眼光学系の設計半画角の半分よりも小さくする。
【００１１】
本発明のさらに別の側面では、複数の光学系部分の光軸の視軸に対する所定方向に関する角度θは、接眼光学系を構成する各光学系部分の所定方向に関する画角をαとして、以下の式（１）で与えられる範囲とする。
０＜｛（α／２−θ）／α｝＜０．４      …      （１）
【００１２】
本発明のさらに別の側面では、ブレンディング領域は、複数の領域の境界で直線的に延びる。
【００１３】
本発明のさらに別の側面では、ブレンディング領域は、正面を見ているときの視軸に対してシフトした位置に配置される。
【００１４】
本発明のさらに別の側面では、複数の領域は、眼の並ぶ横方向に配列されるとともに、眼の並ぶ横方向に直交する縦方向に配列される。
【００１５】
本発明のさらに別の側面では、縦方向に延びるブレンディング領域の横方向の重畳角度幅は、横方向に延びるブレンディング領域の縦方向の重畳角度幅よりも狭い。
【００１６】
本発明のさらに別の側面では、接眼光学系の結像特性を反映して複数の表示素子のブレンディング領域における表示に関して補正処理を行う制御回路部をさらに備える。この場合、信号処理によって画像領域の繋ぎ目で境界が目立つことを防止できる。
【００１７】
本発明のさらに別の側面では、制御回路部は、ブレンディング領域における表示に対する補正処理に関してユーザーからの設定を受け付ける。この場合、ユーザーの感覚を反映した調整が可能になる。
【００１８】
本発明のさらに別の側面では、表示素子は、有機ＥＬ表示デバイス、液晶表示デバイス、及びレーザー走査型の表示デバイスのうちいずれかである。
【図面の簡単な説明】
【００１９】
【図１】第１実施形態の画像表示装置を説明する概念的な平面図である。
【図２】画像表示装置の片方の画像表示部を眼側から見た様子を示す概念図である。
【図３】図２のＡＡ矢視断面に関して接眼光学系を説明する断面図である。
【図４】図２のＢＢ矢視断面に関して接眼光学系を説明する断面図である。
【図５Ａ】接眼光学系を眼側から見た様子を示す概念図である。
【図５Ｂ】第１及び第２光学系部分の光軸、画角等の関係を説明する図である。
【図６Ａ】接眼光学系によるブレンディング領域の形成を説明する図である。
【図６Ｂ】接眼光学系による具体的な表示例を示す図である。
【図７Ａ】縦方向のブレンディング領域の形成状態を説明する図である。
【図７Ｂ】ブレンディング領域の下端側での結像を説明する図である。
【図８】特定のブレンディング領域での輝度調整を説明する図である。
【図９】人の中心視野や周辺視野を鉛直方向に関して説明する図である。
【図１０】人の中心視野や周辺視野を水平方向に関して説明する図である。
【図１１Ａ】モニターデバイスの一例を説明する側方断面図である。
【図１１Ｂ】モニターデバイスの一例を説明する一部透視平面図である。
【図１２Ａ】変形例のモニターデバイスを説明する裏面図である。
【図１２Ｂ】変形例のモニターデバイスを説明する側面図である。
【図１３】別の変形例のモニターデバイスを説明する側方断面図である。
【図１４】さらに別の変形例のモニターデバイスを説明する断面図である。
【図１５】図１に示す画像表示装置による表示動作の一例について説明する図である。
【図１６】図１に示す画像表示装置による表示動作の一例について説明する図である。
【図１７】第２実施形態の画像表示装置を説明する側方断面図である。
【図１８】第３実施形態の画像表示装置を説明する側方断面図である。
【図１９】第４実施形態の画像表示装置を説明する側方断面図である。
【図２０】第５実施形態の画像表示装置を説明する側方断面図である。
【発明を実施するための形態】
【００２０】
〔第１実施形態〕
以下、図面を参照しつつ、本発明に係る第１実施形態の画像表示装置について説明する。なお、図１等おいて、Ｘ、Ｙ、及びＺは、直交座標系の３軸を意味し、Ｙは、直立した観察者の一対の眼の並ぶ横方向又は水平方向に対応し、Ｚは、眼の並ぶ横方向や正面視の視軸に垂直な鉛直方向に対応する。
【００２１】
図１に示す画像表示装置２００は、眼鏡型のヘッドマウントディスプレイであり、左右一対の画像表示部２００Ａ，２００Ｂと、両画像表示部２００Ａ，２００Ｂの表示動作等を制御する制御回路部８０と、ユーザーの操作を受け付け制御回路部８０と連携して動作する操作制御部９０を備える。画像表示装置２００は、ユーザー又は装着者である観察者ＨＯの両眼ＥＹの位置に虚像を形成する合成光ＬＩを入射させることで観察者ＨＯに動画、静止画等の各種画像を認識させる。両画像表示部２００Ａ，２００Ｂは、共通する保持部であるケース７１内に支持されており、このケース７１によって、両画像表示部２００Ａ，２００Ｂ相互の配置関係が維持されるとともに、各画像表示部２００Ａ，２００Ｂを構成する複数の光学部品の相対的な配置関係が維持される。ケース７１は、バンド７２を介して観察者ＨＯの頭部に着脱自在に固定されている。
【００２２】
右側の画像表示部２００Ａは、接眼光学系１００Ａと、表示部２０Ａと、表示駆動回路６１Ａとを備える。左側の画像表示部２００Ｂは、接眼光学系１００Ｂと、表示部２０Ｂと、表示駆動回路６１Ｂとを備える。各接眼光学系１００Ａ，１００Ｂに付随して、各接眼光学系１００Ａ，１００Ｂによって形成される虚像の輝度や色度をチェックするため、モニター部５１Ａ，５１Ｂが設けられている。
【００２３】
左側の画像表示部２００Ｂを構成する接眼光学系１００Ｂ、表示部２０Ｂ、及び表示駆動回路６１Ｂは、右側の画像表示部２００Ａを構成する接眼光学系１００Ａ、表示部２０Ａ、及び表示駆動回路６１Ａと同じ構造を有するので、以下では、主に右側の画像表示部２００Ａについて説明し、左側の画像表示部２００Ｂについては説明を省略する。なお、左側の画像表示部２００Ｂによって形成される虚像は、右側の画像表示部２００Ａによって形成される虚像と同じものである必要はなく、例えば両者に視差を持たせた画像を形成させることができる。
【００２４】
図２に概念的に示すように、右側の画像表示部２００Ａのうち、接眼光学系１００Ａは、第１〜第４光学系部分１０ａ〜１０ｄを備え、表示部２０Ａは、第１〜第４表示素子２ａ〜２ｄを備える。第１〜第４光学系部分１０ａ〜１０ｄや第１〜第４表示素子２ａ〜２ｄは、正面を見ている右側の眼ＥＹの視軸ＥＸが通る中央を基準として、下側や右側に偏った配置又はシフトした配置となっている。つまり、正面の視軸ＥＸは、第１光学系部分１０ａのみを通過するような構造となっている。この結果、右眼の特性に合わせた視野確保が可能になるとともに、後述する中心視野から第１〜第４光学系部分１０ａ〜１０ｄによる表示の境界を外すことができ、この場合、中心視野に対応する画像を形成する第１光学系部分１０ａを第２〜第４光学系部分１０ｂ〜１０ｄに対して比較的高解像度としてもよい。
【００２５】
各光学系部分１０ａ〜１０ｄに付随して、モニターデバイス５２ａ〜５２ｄが設けられている。モニターデバイス５２ａ〜５２ｄは、全体で図１のモニター部５１Ａを構成し、光学系部分１０ａ〜１０ｄによって形成される虚像の輝度や色度を個別に検出して図１の制御回路部８０に出力する。
【００２６】
図３及び図５Ａに示すように、接眼光学系１００Ａのうち、第１光学系部分１０ａは、正面を見ている眼ＥＹの視軸ＥＸが通る中央領域及びその上側をカバーするように配置され、第２光学系部分１０ｂは、正面を見ている眼ＥＹの視軸ＥＸが通る中央領域よりも下側をカバーするように配置される。つまり、第１光学系部分１０ａが視軸ＥＸよりも下寄りの位置で上下に分割された視界の上側領域に対応する画像を主に担い、第２光学系部分１０ｂが上下に分割された視界の下側領域に対応する画像を主に担うことになる。
【００２７】
第１光学系部分１０ａは、複数のレンズで構成され、具体的には、眼ＥＹの瞳ＥＹａが配置される位置ＰＥに近い射出側からの順で、射出レンズ１１ａと、中間レンズ１２ａ，１３ａと、入射レンズ１４ａとを有する。また、第２光学系部分１０ｂは、複数のレンズで構成され、具体的には、瞳ＥＹａに対応する位置ＰＥに近い射出側からの順で、射出レンズ１１ｂと、中間レンズ１２ｂ，１３ｂと、入射レンズ１４ｂとを有する。
【００２８】
第１光学系部分１０ａの射出レンズ１１ａと、第２光学系部分１０ｂの射出レンズ１１ｂとは、別体のレンズであるが、両射出レンズ１１ａ，１１ｂを一体化することもできる。両射出レンズ１１ａ，１１ｂの射出側面１１ｆは、連続的な凹の湾曲面であって、射出側面１１ｆ又はその近似球面の曲率半径は、瞳ＥＹａの位置ＰＥから射出側面１１ｆまでの設計上の距離に等しくなっている。つまり、射出側面１１ｆは、アイレリーフ長に対応する曲率に設定されている。
【００２９】
第１光学系部分１０ａを構成する射出レンズ１１ａ、中間レンズ１２ａ，１３ａ及び入射レンズ１４ａは、球面レンズ、非球面レンズ、自由曲面レンズ等のいずれかとすることができる。また、中間レンズ１２ａ，１３ａは、２枚に限らず、１枚又は３枚以上とできる。第２光学系部分１０ｂを構成する射出レンズ１１ｂ、中間レンズ１２ｂ，１３ｂ及び入射レンズ１４ｂは、球面レンズ、非球面レンズ、自由曲面レンズ等のいずれかとすることができる。また、中間レンズ１２ｂ，１３ｂは、２枚構成に限らず、１枚又は３枚以上とできる。
【００３０】
一対の射出レンズ１１ａ，１１ｂの光入射側には、絞りＳＴＰを配置することができる。このような絞りＳＴＰにより、瞳ＥＹａの位置ＰＥに不要な光が入射してゴースト像を形成することを防止できる。同様の絞りは、中間レンズ１２ａ，１３ａ，１２ｂ，１３ｂ、入射レンズ１４ａ，１４ｂ等の周辺にも配置することができる。
【００３１】
第１光学系部分１０ａを構成する射出レンズ１１ａ、中間レンズ１２ａ，１３ａ及び入射レンズ１４ａは、プラスチック材料やガラス材料から形成することができ、同様に、第２光学系部分１０ｂを構成する射出レンズ１１ｂ、の中間レンズ１２ｂ，１３ｂ及び入射レンズ１４ｂも、プラスチック材料やガラス材料から形成することができる。
【００３２】
以上の第１及び第２光学系部分１０ａ，１０ｂにより、第１及び第２表示素子２ａ，２ｂの表示面２１ａ，２１ｂに形成された像が瞳ＥＹａの位置ＰＥに導かれ、位置ＰＥから見て前方左側の無限遠又はこれに準じた位置に虚像を形成する。
【００３３】
図４及び図５Ａに示すように、接眼光学系１００Ａのうち、第１光学系部分１０ａは、正面を見ている眼ＥＹの視軸ＥＸが通る中央領域及びその左側又は内側をカバーするように配置され、第３光学系部分１０ｃは、正面を見ている眼ＥＹの視軸ＥＸが通る中央領域よりも右側又は外側をカバーするように配置される。つまり、第１光学系部分１０ａが視軸ＥＸよりも右寄りの位置で左右に分割された視界の左側に対応する画像を主に担い、第３光学系部分１０ｃが左右に分割された視界の右側に対応する画像を主に担うことになる。
【００３４】
第３光学系部分１０ｃは、複数のレンズで構成され、具体的には、瞳ＥＹａに対応する位置ＰＥに近い射出側からの順で、射出レンズ１１ｃと、中間レンズ１２ｃ，１３ｃと、入射レンズ１４ｃとを有する。第１光学系部分１０ａの射出レンズ１１ａと、第３光学系部分１０ｃの射出レンズ１１ｃとは、別体のレンズであるが、両射出レンズ１１ａ，１１ｃを一体化することもできる。両射出レンズ１１ａ，１１ｃの射出側面１１ｆ又はその近似球面の曲率半径は、瞳ＥＹａの位置ＰＥから射出側面１１ｆまでの設計上の距離に等しくなっている。
【００３５】
第３光学系部分１０ｃを構成する射出レンズ１１ｃ、中間レンズ１２ｃ，１３ｃ及び入射レンズ１４ｃは、球面レンズ、非球面レンズ、自由曲面レンズ等のいずれかとすることができる。また、中間レンズ１２ｃ，１３ｃは、２枚構成に限らず、１枚又は３枚以上とできる。第２光学系部分１０ｃを構成する射出レンズ１１ｃ、の中間レンズ１２ｃ，１３ｃ及び入射レンズ１４ｃは、プラスチック材料やガラス材料から形成することができる。
【００３６】
以上の第１及び第３光学系部分１０ａ，１０ｃにより、第１及び第３表示素子２ａ，２ｃの表示面２１ａ，２１ｃに形成された像が瞳ＥＹａの位置ＰＥに導かれ、位置ＰＥから見て前方上側の無限遠又はこれに準じた位置に虚像を形成する。
【００３７】
なお、第４光学系部分１０ｄについては、図示を省略するが、第２光学系部分１０ｂ又は第３光学系部分１０ｃと同様又は類似する光学系となっており、中間レンズ１２ｄ、射出レンズ１１ｄ等を有する（図５Ａ参照）。
【００３８】
図２に戻って、表示部２０Ａは、画像光Ｌを接眼光学系１００Ａに向けて射出する画像形成部であり、Ｄ／Ａコンバーター等を備える表示駆動回路６１Ａに駆動されて動作する。表示部２０Ａは、第１光学系部分１０ａの前段に配置される第１表示素子２ａと、第２光学系部分１０ｂの前段に配置される第２表示素子２ｂと、第３光学系部分１０ｃの前段に配置される第３表示素子２ｃと、第４光学系部分１０ｄの前段に配置される第４表示素子２ｄとを有する。各表示素子２ａ〜２ｄに表示させる画像は、統一的な全体画像のうち左上、左下、右上、及び右下に対応する分割部分又は分割領域である。各表示素子２ａ〜２ｄは、自発光型の有機ＥＬ表示デバイスとすることができるが、これに限らず、ＬＥＤその他のバックライトで照明される液晶表示デバイス、又はレーザー光をＭＥＭＳで走査することによって描画を行うレーザー走査型の表示デバイスで構成することができる。
【００３９】
図６Ａは、図２等に示す接眼光学系１００Ａによるブレンディング領域の形成を説明する図である。接眼光学系１００Ａによって虚像が形成される画像領域ＴＩは、大まかには４領域に分割されており、左上の部分領域ＩＡ１は、第１光学系部分１０ａに対応し、左下の部分領域ＩＡ２は、第２光学系部分１０ｂに対応し、右上の部分領域ＩＡ３は、第３光学系部分１０ｃに対応し、右下の部分領域ＩＡ４は、第４光学系部分１０ｄに対応する。ここで、第１光学系部分１０ａと第２光学系部分１０ｂとの間には、領域の境界で直線的に延びる比較的広い重複部分であるブレンディング領域ＢＡ１が形成され、第１光学系部分１０ａと第３光学系部分１０ｃとの間にも、領域の境界で直線的に延びる比較的広い重複部分であるブレンディング領域ＢＡ２が形成される。一方、第２光学系部分１０ｂと第４光学系部分１０ｄとの間には、領域の境界で直線的に延びる比較的狭い重複部分であるブレンディング領域ＢＡ３が形成され、第３光学系部分１０ｃと第４光学系部分１０ｄとの間にも、領域の境界で直線的に延びる比較的狭い重複部分であるブレンディング領域ＢＡ４が形成される。
【００４０】
ここで、第１及び第２光学系部分１０ａ，１０ｂ間のブレンディング領域ＢＡ１は、表示の切り替わりが一様になるように、第１及び第２光学系部分１０ａ，１０ｂの境界に沿ったＹ方向に一様に延び、境界に直交するＺ方向の比較的広い重畳角度幅は、符号ｄ１で示されている。第１及び第３光学系部分１０ａ，１０ｃ間のブレンディング領域ＢＡ２は、表示の切り替わりが一様になるように、第１及び第３光学系部分１０ａ，１０ｃの境界に沿ったＺ方向に一様に延び、境界に直交するＹ方向の比較的広い重畳角度幅は、符号ｄ２で示されている。
【００４１】
第２及び第４光学系部分１０ｂ，１０ｄ間のブレンディング領域ＢＡ３は、表示の切り替わりが一様になるように、第２及び第４光学系部分１０ｂ，１０ｄの境界に沿ったＺ方向に一様に延び、境界に直交するＹ方向の比較的狭い重畳角度幅は、符号ｄ３で示されている。第３及び第４光学系部分１０ｃ，１０ｄ間のブレンディング領域ＢＡ４も同様に、第３及び第４光学系部分１０ｃ，１０ｄの境界に沿ったＹ方向に一様に延び、境界に直交するＺ方向の比較的狭い重畳角度幅は、符号ｄ４で示されている。
【００４２】
以上において、第１及び第２光学系部分１０ａ，１０ｂ間のブレンディング領域ＢＡ１や第１及び第３光学系部分１０ａ，１０ｃ間のブレンディング領域ＢＡ２は、視軸ＥＸに対してシフトした位置に配置されるとともに、視軸ＥＸが通る中心に相対的に近い位置に配置され、それらの重畳角度幅ｄ１，ｄ２は比較的広くなっている。一方、第２及び第４光学系部分１０ｂ，１０ｄ間のブレンディング領域ＢＡ３や第３及び第４光学系部分１０ｃ，１０ｄ間のブレンディング領域ＢＡ４は、視軸ＥＸに対してシフトした位置に配置されるとともに、視軸ＥＸが通る中心から相対的に遠い位置に配置され、それらの重畳角度幅ｄ３，ｄ４は比較的狭くなっている。つまり、中心視野に近いブレンディング領域ＢＡ１，ＢＡ２は比較的角度幅が広く、中心視野から遠いブレンディング領域ＢＡ３，ＢＡ４は比較的角度幅が狭く、ブレンディング領域の角度幅は、中心視野側の箇所よりも周辺視野側の箇所で狭くなっている。このように、中心視野に近いブレンディング領域ＢＡ１，ＢＡ２の角度幅を広くし、中心視野から遠いブレンディング領域ＢＡ３，ＢＡ４の角度幅を比較的狭くすることで、視野の中心視野側で周辺視野側よりも画像の切り替わりを緩やかにでき、画像の切り替わりが寄り目立たなくなる。なお、ここで、中心視野側及び周辺視野側とは、視軸ＥＸを基準とするものであり、一対の比較対象領域について、相対的に視軸ＥＸに近い領域を中心視野側とし、相対的に視軸ＥＸから遠い領域を中心視野側とする。特に比較対象領域が広がりを有する場合において、領域が細長い場合のように対称性を有するときは、例えばその中央を基準として比較すればよく、領域が対称性を有しないときは、例えば輪郭の重心を基準として比較すればよい。
【００４３】
図６Ｂは、接眼光学系１００Ａによって眼ＥＹで観察される画像領域ＴＩでの具体的な表示例を示している。各ブレンディング領域ＢＡ１〜ＢＡ４において、重なる位置には同一の画像が表示されて画像の滲みが防止されているだけでなく、輝度や色度の異常な変化が形成されないような表示となっている。なお、第１〜第４光学系部分１０ａ〜１０ｄに表示される画像は、第１〜第４表示素子２ａ〜２ｄに形成される画像と一般的に相似ではなく、光学系部分１０ａ〜１０ｄの光学的ディストーシンによって変形したものとなっている。よって、第１〜第４表示素子２ａ〜２ｄに形成される画像に予めデジタル歪曲補正を施して歪みを与えておけば、第１〜第４光学系部分１０ａ〜１０ｄの歪み補正が可能になり、各ブレンディング領域ＢＡ１〜ＢＡ４に滲みのない重畳画像を形成することができる。
【００４４】
図７Ａ及び７Ｂを参照して、縦方向のブレンディング領域の形成状態、具体的には第１及び第２光学系部分１０ａ，１０ｂ間のブレンディング領域ＢＡ１の形成状態について説明する。図７Ａにおいて、符号ＢＤで示す一点鎖線は、第１及び第２光学系部分１０ａ，１０ｂの境界を示し、ブレンディング領域ＢＡ１の上下に関する中間を示す。また、第１光学系部分１０ａを横切る一点鎖線は、第１学系部分１０ａの光軸ＡＸ１を示し、第２光学系部分１０ｂを横切る一点鎖線は、第１学系部分１０ａの光軸ＡＸ２を示す。
【００４５】
第１光学系部分１０ａによって形成される下端側の画像に対応する光線Ｂ１１，Ｂ１２は、実線と破線とで示すように、瞳ＥＹａの位置ＰＥに入射する。第２光学系部分１０ｂによって形成される上端側の画像に対応する光線Ｂ２１，Ｂ２２は、一点鎖線と二点鎖線とで示すように、瞳ＥＹａの位置ＰＥに入射する。この際、第１光学系部分１０ａからの光線Ｂ１２と、第２光学系部分１０ｂからの光線Ｂ２２とが重畳して同一画像を形成し、ブレンディング領域ＢＡ１として観察される（図７Ｂ参照）。なお、第１光学系部分１０ａからの光線Ｂ１１は、ブレンディング領域ＢＡ１の単独領域ＳＡ１（図６Ａ参照）側に入射し、第２光学系部分１０ｂからの光線Ｂ２１は、ブレンディング領域ＢＡ１の単独領域ＳＡ１側（図６Ａ参照）に入射する。
【００４６】
図７Ａから明らかなように、ブレンディング領域ＢＡ１を形成する光線は、互いに異なる縦幅で瞳ＥＹａの位置ＰＥのうち局所的な部分に共に入射し、この縦幅を制御することは容易でない。よって、第１及び第２表示素子２ａ，２ｂにおいて、ブレンディング領域ＢＡ１に対応する画素部分では、重畳させた画像輝度が元の画像に近い状態となるように強度調整又は階調補正を行うことが望ましい。
【００４７】
図８は、ブレンディング領域ＢＡ１での輝度調整すなわち補正処理を概念的に説明する図である。第１光学系部分１０ａによる本来の投射輝度ＰＢ１は、ブレンディング領域ＢＡ１内の既定箇所から他端に向けて徐々に減少する。また、第２光学系部分１０ｂによる本来の投射輝度ＰＢ２は、ブレンディング領域ＢＡ１内の既定箇所から他端に向けて徐々に減少する。ブレンディング領域ＢＡ１でのみ画像の合成を行うには、第１光学系部分１０ａ側については、点線ＰＢ１'で示すように、ブレンディング領域ＢＡ１の一端位置ＰＳ１から他端位置ＰＳ２にかけて投射輝度ＰＢ１を徐々に減少させるとともに、第２光学系部分１０ｂ側については、点線ＰＢ２'で示すように、ブレンディング領域ＢＡ１の一端位置ＰＳ２から他端位置ＰＳ１にかけて投射輝度ＰＢ２を徐々に減少させる。このような補正処理により、ブレンディング領域ＢＡ１において、端位置ＰＳ１，ＰＳ２間で第１光学系部分１０ａからの光線と、第２光学系部分１０ｂからの光線とが徐々に切り替わり、画像の輝度が滑らかかつ緩やかに変化する。つまり、隣接する画面領域同士を平滑に接続することができる。
【００４８】
図示の例では、第１光学系部分１０ａのみで投影を行う単独領域ＳＡ１では、投射輝度ＰＢ１を調整しない。また、第２光学系部分１０ｂのみで投影を行う単独領域ＳＡ２でも、投射輝度ＰＢ２を調整しない。ただし、第１光学系部分１０ａの輝度と第２光学系部分１０ｂの輝度との相対比を調整することもできる。この場合、第１及び第２光学系部分１０ａ，１０ｂのうち相対輝度が大きい方の輝度を所定の割合で全体的に下げることになる。また、投射輝度ＰＢ１，ＰＢ２は、一般に単独領域ＳＡ１，ＳＡ２内でも一様でなく、各単独領域ＳＡ１，ＳＡ２内で輝度分布の調整又は修正を行うことができる。
【００４９】
図９は、人の中心視野や周辺視野を鉛直方向に関して説明する図である。人が対象を注視する場合、数°の範囲内を高い解像度で観察するが、その他の周辺は、低い解像度でしか観察できない。人の眼ＥＹが対象に応じて回転又は移動しても、見にくくなるので頭部を回転させて正面視を維持しようとする。このため、中心視野Ｆ１として、正面を見ている眼ＥＹの視軸ＥＸを基準として左右又は内外に±１５°程度が想定され、この中心視野Ｆ１内で解像度を高めれば、接眼光学系１００Ａ又は画像表示装置２００として実用的と言える。また、中心視野Ｆ１の外側であって、視軸ＥＸを基準として上側に６０°及び下側に８０°程度を周辺視野Ｆ２として確保すれば、接眼光学系１００Ａ又は画像表示装置２００として実用的と言える。なお、周辺視野Ｆ２は、鉛直軸ＶＸに対して全体として下側に傾斜したものとなっている。
【００５０】
このような観点で、右眼用の接眼光学系１００Ａの上側の視野角β１を６０°程度とし、右眼用の接眼光学系１００Ａの下側の視野角β２を８０°程度としている。ここで、図３等に示す上側又は正面側の第１光学系部分１０ａは、中心視野Ｆ１を略カバーしており、比較的高解像度で比較的高精度の画像投影が行われる。一方、図３等に示す下側の第２光学系部分１１ｂは、周辺視野Ｆ２の一部をカバーしており、比較的低解像度又は比較的低精度の画像投影で足る。なお、中心視野Ｆ１の中心を視軸ＥＸが通っており、図６Ａに示すブレンディング領域ＢＡ１は、中心視野Ｆ１の下側から周辺視野Ｆ２にかけての位置に形成されている。このブレンディング領域ＢＡ１については、中心視野Ｆ１の中央を横切るようなものとできるが、完全に周辺視野Ｆ２内に位置するように下にシフトさせることもできる。
【００５１】
図１０は、人の中心視野や周辺視野を水平方向に関して説明する図である。中心視野Ｆ１としては、正面を見ている眼ＥＹの視軸ＥＸを基準として左右又は内外に±１５°程度を想定し、この中心視野Ｆ１内で解像度を高めれば、接眼光学系１００Ａ又は画像表示装置２００として実用的と言える。また、右眼の場合、中心視野Ｆ１の外側であって、視軸ＥＸを基準として内側に６０°及び外側に１００°程度を周辺視野Ｆ２として確保すれば、接眼光学系１００Ａ又は画像表示装置２００として実用的と言える。なお、周辺視野Ｆ２は、両眼が並ぶ水平軸ＨＸに対して全体として外側に傾斜したものとなっている。
【００５２】
このような観点で、右眼用の接眼光学系１００Ａの内側の視野角α１を６０°程度とし、右眼用の接眼光学系１００Ａの外側の視野角α２を１００°程度としている。ここで、内側又は正面側の第１光学系部分１０ａは、中心視野Ｆ１を略カバーしており、比較的高解像度で比較的高精度の画像投影が行われる。一方、外側の第２光学系部分１０ｃは、周辺視野Ｆ２の一部をカバーしており、比較的低解像度又は比較的低精度の画像投影で足る。なお、中心視野Ｆ１の中心を視軸ＥＸが通っており、図６Ａに示すブレンディング領域ＢＡ２は、中心視野Ｆ１の右側から周辺視野Ｆ２にかけての位置に形成されている。このブレンディング領域ＢＡ２については、中心視野Ｆ１の中央を横切るようなものとできるが、完全に周辺視野Ｆ２内に位置するように右にシフトさせることもできる。
【００５３】
周辺視野Ｆ２については、上記説明に対応する視野角１４０°又は１６０°に限らず、２００°を確保することもできる。
【００５４】
以上のように、接眼光学系１００Ａにおいて、第１〜第４光学系部分１０ａ〜１０ｄによって縦方向や横方向に表示領域を分割する場合において、縦方向に関するブレンディング領域ＢＡ１，ＢＡ４の角度幅、つまり重畳角度幅ｄ１，ｄ４は、全体の画像領域ＴＩの縦の半画角ＨＨの半分又は１／４以下であることが望ましく、横方向に関するブレンディング領域ＢＡ２，ＢＡ３の角度幅、つまり重畳角度幅ｄ２，ｄ３は、全体の画像領域ＴＩの横の半画角ＨＷの半分又は１／４以下であることが望ましい。これにより、光学系部分１０ａ〜１０ｄの重複が過度になるとを防止でき、光学系部分１０ａ〜１０ｄを有効活用することができ、接眼光学系１００Ａの軽量化や簡素化が可能になる。
【００５５】
見方を変えれば、視軸ＥＸに対する第１及び第２光学系部分１０ａ，１０ｂの光軸ＡＸ１，ＡＸ２の角度θは、接眼光学系１００Ａの設計上の半画角の半分よりも小さく設定する。個々の光学系部分１０ａ，１０ｂで考えた場合、第１及び第２光学系部分１０ａ，１０ｂの視軸ＥＸに対する縦のＺ方向の光軸ＡＸ１，ＡＸ２の角度θは、各光学系部分１０ａ，１０ｂの縦の画角をαとして、以下の式（１）で与えられる範囲とする。
０＜｛（α／２−θ）／α｝＜０．４      …      （１）
【００５６】
なお、光学系部分１０ａ，１０ｂの画角に大きな差がある場合、第１及び第２光学系部分１０ａ，１０ｂの画角をそれぞれα１、α２とし、視軸ＥＸに対する光軸ＡＸ１，ＡＸ２の傾斜角をそれぞれθ１、θ２とすると（図５Ｂ参照）、例えば第１光学系部分１０ａについては、第２光学系部分１０ｂとのブレンディング領域ＢＡ１が画角α１に占める割合は、以下の式で表されるようにする。
2019074679.tif 000003
【００５７】
同様に、第３及び第４光学系部分１０ｃ，１０ｄの視軸ＥＸに対する縦のＺ方向の光軸の角度θは、接眼光学系１００Ａの縦の画角をαとして、上記式（１）等で与えられる範囲とする。
【００５８】
同様に、第１及び第３光学系部分１０ａ，１０ｃの視軸ＥＸに対する横のＹ方向の光軸ＡＸ１，ＡＸ３の角度θは、接眼光学系１００Ａの横の画角をαとして、上記式（１）等で与えられる範囲とする。
【００５９】
同様に、第２及び第４光学系部分１０ｂ，１０ｄの視軸ＥＸに対する横のＹ方向の光軸の角度θは、接眼光学系１００Ａの横の画角をαとして、上記式（１）等で与えられる範囲とする。
【００６０】
特に、中心視野に関連する第１及び第２光学系部分１０ａ，１０ｂ間に関しては、光軸ＡＸの視軸ＥＸに対する縦のＺ方向に関する角度θは、以下の式（２）で与えられる範囲とすることが望ましい。
０．０３＜｛（α／２−θ）／α｝＜０．４      …      （２）
【００６１】
同様に、中心視野に関連する第１及び第３光学系部分１０ａ，１０ｃ間に関しては、光軸ＡＸの視軸ＥＸに対する横のＹ方向に関する角度θは、上記式（２）で与えられる範囲とすることが望ましい。
【００６２】
具体的な例では、光学系部分の光軸ＡＸの視軸ＥＸに対する角度θは、例えば１０°程度とされる。
【００６３】
図１１Ａは、第１光学系部分１０ａに対向して配置された表示素子２ａを示す側方断面図であり、図１１Ｂは、表示素子２ａの部分透視平面図である。表示素子２ａは、例えば有機ＥＬ表示デバイスである。モニターデバイス５２ａは、複数のセンサー５４からなり、各センサー５４は、表示素子２ａの固定治具２ｊの周囲に沿って固定治具２ｊの内側に埋め込むように等間隔で配置されている。固定治具２ｊは、表示素子２ａのバックプレーン２ｋに固定され、バックプレーン２ｋと保護ガラス２ｍとの間に発光によって像を形成する表示部２ｎが形成されている。表示部２ｎは、図３に示す表示面２１ａ等に対応する。
【００６４】
各センサー５４は、３つのフォトダイオード５４ａと、３つのカラーフィルター５４ｂとを備える。各センサー５４は、表示素子２ａの表示部２ｎのうち周辺部２ｐに対向するように配置され、周辺部２ｐの表示輝度や色度を検出する。これにより、表示素子２ａの表示面２１ａうち上述したブレンディング領域ＢＡ１に対応する部分の輝度と色度との双方を測定できるとともに、表示素子２ａの表示面２１ａ全体の表示輝度や色度を測定することができる。
【００６５】
以上は、第１光学系部分１０ａ又は表示素子２ａに付随するモニターデバイス５２ａの説明であったが、第２〜４光学系部分１０ｂ〜１０ｄ又は表示素子２ｂ〜２ｄに付随する他のモニターデバイス５２ｂ〜５２ｄも、モニターデバイス５２ａと同様の構造を有する。
【００６６】
図１２Ａ及び１２Ｂは、図１１Ａ等に示すモニターデバイス５２ａの変形例を説明する図である。図１２Ａは、第１光学系部分１０ａにおいて表示素子２ａに最も近い入射レンズ１４ａ及びその保持枠１５ａを示す平面図であり、図１２Ｂは、光軸ＡＸ１に沿った断面図である。
【００６７】
モニターデバイス５２ａは、複数のセンサー５４からなり、各センサー５４は、保持枠１５ａの周囲に沿って保持枠１５ａの表示素子２ａ側に埋め込むように等間隔で配置されている。この場合も、表示素子２ａの表示面２１ａうちブレンディング領域ＢＡ１に対応する部分の輝度と色度との双方を測定できるとともに、表示素子２ａの表示面２１ａ全体の表示輝度や色度を測定することができる。
【００６８】
図１３は、図１１Ａ等に示すモニターデバイス５２ａの別の変形例を説明する図である。この場合、モニターデバイス５２ａを構成するセンサー５４は、例えば小型ダイオードであり、保護ガラス２ｍの側面に固定されている。センサー５４は、１つに限らず、複数設けることができる。表示素子２ａの表示面２１ａ又は表示部２ｎうちブレンディング領域ＢＡ１からの表示光ＬＤのうち部分光ＬＤａを、保護ガラス２ｍの表面での全反射を利用してセンサー５４に導くことができる。この際、詳細な図示を省略するが、表示素子２ａが３色のカラーフィルターを組み込んで表示色を変化させるものである場合、部分光ＬＤａが大きく傾斜するため部分光ＬＤａの光路がどのカラーフィルターを通過するかも問題となり、迷光も発生するので、カラーフィルターを含めた系でセンサー５４のサイズや配置を設定するとともに検出信号に対して所定の処理を行う必要がある。具体的には、製品の製造時に迷光を含む部分光ＬＤａが検出されるようになっていても、センサー５４の測定結果から輝度・色度を求められるように補正式を用意しておく必要がある。具体的には、対象とする表示素子２ａにおいて、ブレンディング領域の映像光のみを点灯させることで、映像領域を平滑に接続するのに重要なブレンディング領域の輝度及び色度を正しく測定することができる。
【００６９】
図１４は、図１１Ａ等に示すモニターデバイス５２ａのさらなる変形例を説明する図である。この場合、モニターデバイス５２ａ，５２ｂは、小型カメラであり、表示素子２ａ，２ｂの表示面２１ａ，２１ｂを一括して撮影することで、表示素子２ａの表示面２１ａ全体の表示輝度や色度を測定することができ、結果的にブレンディング領域ＢＡ１に対応する部分の輝度と色度との双方を測定することができる。
【００７０】
なお、表示素子２ａ，２ｂに最も近い入射レンズ１４ａ，１４ｂについては、小型カメラであるモニターデバイス５２ａ，５２ｂに表示素子２ａ，２ｂからの映像光が入るように屈折率を調整することが望ましい。
【００７１】
図１５及び図１６を参照して、図１に示す画像表示装置２００又は画像表示部２００Ａによる表示動作の一例について説明する。
【００７２】
制御回路部８０は、較正タイミングか否かを判断する（ステップＳ１１）。制御回路部８０は、較正タイミングか否かを起動時、継続使用時間等の各種情報に基づいて判断する。つまり、較正タイミングは、画像表示装置２００の起動時等とすることができる。
【００７３】
制御回路部８０は、較正タイミングであると判断した場合、モニターデバイス５２ａ〜５２ｄの出力に基づいて補正データを算出し（ステップＳ１２）、補正データをメモリー８１に記録する（ステップＳ１３）。具体的には、制御回路部８０は、接眼光学系１００Ａに全白画面を表示させる。このように表示された全白画面の中で、ブレンディング領域ＢＡ１〜ＢＡ４の映像光をモニターデバイス５２ａ〜５２ｄのセンサー５４で測定し、ブレンディング領域ＢＡ１〜ＢＡ４の輝度及び色度を決定する。このようにして得た輝度及び色度を基準値の輝度及び色度分布と比較して補正テーブルを作成し、メモリー８１に保存する。ここで、基準値の輝度及び色度分布は、例えば工場出荷時の値とすることができるが、前回の起動時、所定回数前の起動時の値とすることもできる。輝度及び色度を測定するごとにメモリー８１中の補正テーブルを更新することで、映像表示素子の経年変化に自動で対応することができる。なお、補正テーブルは、ブレンディング領域ＢＡ１〜ＢＡ４について、図８に示すような輝度調整を行うことや色補正を行うことの他、ブレンディング領域ＢＡ１〜ＢＡ４外で輝度及び色度分布の補正を行うことを含む。
【００７４】
制御回路部８０は、外部から入力された映像信号やメモリー８１に保管された映像信号を取り込む（ステップＳ１４）。
【００７５】
制御回路部８０は、ステップＳ１３で取り込んだ映像信号を表示素子２ａ〜２ｄの個数及び分担エリアに対応して分割する（ステップＳ１５）。この際、ブレンディング領域ＢＡ１〜ＢＡ４は、重複して割り当てられる。
【００７６】
その後、制御回路部８０は、ステップＳ１５で得た第１表示素子２ａ用の映像信号に対してステップＳ１３で記録した補正データを参照して補正処理を行い、第１表示素子２ａ用の補正画像データを算出する（ステップＳ２１）。これと並行して、制御回路部８０は、ステップＳ１５で得た第２表示素子２ｂ用の映像信号に対してステップＳ１３で記録した補正データを参照して補正処理を行い、第２表示素子２ｂ用の補正画像データを算出する（ステップＳ３１）。詳細な説明を省略するが、第３表示素子２ｃ用の補正画像データや第４表示素子２ｄ用の補正画像データも同様にして得られる。
【００７７】
その後、制御回路部８０は、ステップＳ２１で得た補正画像データを表示駆動回路６１Ａに出力し、表示素子２ａに対応する表示を行わせる（ステップＳ２２）。これと並行して、制御回路部８０は、ステップＳ３１で得た補正画像データを表示駆動回路６１Ａに出力し、表示素子２ｂに対応する表示を行わせる（ステップＳ３２）。詳細な説明を省略するが、第３表示素子２ｃの表示動作や第４表示素子２ｄの表示動作も同様に行われる。
【００７８】
その後、制御回路部８０は、ユーザーから較正要求があったか否かを判断する（ステップＳ５１）。ユーザーは、操作制御部９０を操作することで、制御回路部８０に較正要求を送信することができる。
【００７９】
制御回路部８０は、ユーザーから較正要求があった場合、補正処理に関してユーザーからの設定を受け付ける（ステップＳ５２）。つまり、制御回路部８０は、ステップＳ１３で記録した補正データを調整する修正を受け付ける。具体的には、制御回路部８０は、接眼光学系１００Ａに全白画面を表示させる。ユーザーは、操作制御部９０を操作することで、表示されている全白画面、具体的には図６Ａに示す画像領域ＴＩにおいて、ブレンディング領域ＢＡ１〜ＢＡ４、単独領域ＳＡ１，ＳＡ２等の各領域の輝度及び色度分布がバランスするように画面を対比しつつ補正データのパラメーターを増減させる。この際、左右の眼ごとに独立して調整が行えるようにし、そのような設定が個別に受け付けられる。このようにユーザーからの較正要求を受け付けることで、表示輝度、色度等の経時的な変動又は劣化に対応することができる。
【００８０】
その後、制御回路部８０は、ユーザーから補正データ確定の指示があった場合、調整後の補正データをメモリー８１に記録する（ステップＳ５３）。
【００８１】
次からの画像表示では、ステップＳ５３で保存した補正データを参照して表示素子２ａ〜２ｄ用の各映像信号に対して補正が行われるので、映像表示素子の経年変化に対応することができる。
【００８２】
以上から明らかなように、本実施形態の画像表示装置２００によれば、ブレンディング領域ＢＡ１〜ＢＡ４の境界に直交する方向の重畳角度幅ｄ１〜ｄ４を中心視野側よりも周辺視野側で狭くするので、中心視野側の画像の繋ぎ目を比較的目立たないものとできるとともに、周辺視野側の画像の繋ぎ目を狭くして光学系の重複を少なくすることができる。これにより、分割した画像領域の繋ぎ目で境界が目立つことを防止しつつ、広画角化や小型化を達成できる。
【００８３】
〔第２実施形態〕
以下、第２実施形態の接眼光学系等ついて説明する。本実施形態に係る接眼光学系は、第１実施形態の接眼光学系を変形したものであり、第１実施形態と共通する部分については説明を省略する。
【００８４】
図１７は、第２実施形態の接眼光学系におけるブレンディング領域の設定を説明する図であり、図６Ａに対応する。この場合、第１及び第３光学系部分１０ａ，１０ｃ間のブレンディング領域ＢＡ２の横方向の重畳角度幅ｄ２が、第１及び第２光学系部分１０ａ，１０ｂのブレンディング領域ＢＡ１の縦方向の重畳角度幅ｄ１よりも狭くなっている。このように、縦方向の重畳を広くすることで、全体として横長の画像を比較的小さな光学系で投影することができる。なお、例えば全体として縦の画角が相対的に大きい場合のように、別の事情があるときは、縦方向に延びるブレンディング領域の横方向の重畳角度幅を、横方向に延びるブレンディング領域の縦方向の重畳角度幅よりも広くしてもよい。縦方向に延びるブレンディング領域の横方向の重畳角度幅を相対的に広くすることで、人の眼の感度の観点からブレンディング領域を目立たなくすることができる。
【００８５】
〔第３実施形態〕
以下、第３実施形態の接眼光学系等ついて説明する。本実施形態に係る接眼光学系は、第１実施形態の接眼光学系を変形したものであり、第１実施形態と共通する部分については説明を省略する。
【００８６】
図１８は、第３実施形態の接眼光学系におけるブレンディング領域の設定を説明する図である。この場合、接眼光学系１００Ａが９つの第１〜第９光学系部分１０ａ〜１０ｉを備え、画像領域ＴＩは、３×３のマトリックス状に配列された部分領域ＩＡ１〜ＩＡ９を有する。これらの間に形成されるブレンディング領域ＢＡ１〜ＢＡ１２のうち、視軸ＥＸが通る中央側に近いブレンディング領域ＢＡ１〜ＢＡ４は、その外側のブレンディング領域ＢＡ５〜ＢＡ１２よりも幅広になっている。
【００８７】
〔第４実施形態〕
以下、第４実施形態の接眼光学系等ついて説明する。本実施形態に係る接眼光学系は、第１実施形態の接眼光学系を変形したものであり、第１実施形態と共通する部分については説明を省略する。
【００８８】
図１９は、第４実施形態の接眼光学系におけるブレンディング領域の設定を説明する図である。この場合、接眼光学系１００Ａが６つの第１〜第６光学系部分１０ａ〜１０ｆを備え、画像領域ＴＩは、２×３のマトリックス状に配列された部分領域ＩＡ１〜ＩＡ６を有する。ブレンディング領域ＢＡ１〜ＢＡ７のうち、視軸ＥＸが通る中央側に近いブレンディング領域ＢＡ１は、その外側のブレンディング領域ＢＡ２〜ＢＡ７よりも幅広になっている。
【００８９】
〔第５実施形態〕
以下、第５実施形態の接眼光学系等ついて説明する。本実施形態に係る接眼光学系は、第１実施形態の接眼光学系を変形したものであり、第１実施形態と共通する部分については説明を省略する。
【００９０】
図２０は、第５実施形態の接眼光学系におけるブレンディング領域の設定を説明する図である。この場合、接眼光学系１００Ａが２つの第１及び第２光学系部分１０ａ，１０ｂを備え、画像領域ＴＩは、部分領域ＩＡ１，ＩＡ２を有する。ブレンディング領域ＢＡ１は、視軸ＥＸが通る中央に近い部分で幅が広く、中央にから離れた部分で幅が狭いくなっている。
【００９１】
〔その他の変形例等〕
以上実施形態に即して本発明を説明したが、本発明は、上記の実施形態に限られるものではなく、その要旨を逸脱しない範囲において種々の態様において実施することが可能であり、例えば次のような変形も可能である。
【００９２】
上記の説明では、画像表示装置２００は、右眼及び左眼の双方に対応して、一対の画像表示部２００Ａ，２００Ｂを備えるとしているが、右眼又は左眼のいずれか一方に対してのみ画像表示部を設け画像を片眼視する構成にしてもよい。
【００９３】
上記の説明では、外界光を直接観察しないこいとを前提としているが、ハーフミラー等を組み込むことで、外界光をシースルーで観察することもできる。
【符号の説明】
【００９４】
ＢＡ１-ＢＡ４…ブレンディング領域、ＥＸ…視軸、ＥＹ…眼、ＥＹａ…瞳、Ｆ１…中心視野、Ｆ２…周辺視野、ＨＯ…観察者、ＩＡ１-ＩＡ４…部分領域、Ｌ…画像光、ＬＩ…合成光、ＰＥ…瞳の位置、ＰＳ１，ＰＳ２…端位置、ＳＡ１，ＳＡ２…単独領域、ＴＩ…画像領域、ｄ１-ｄ４…重畳角度幅、１０ａ-１０ｄ…光学系部分、２ａ-２ｄ…表示素子、５２ａ-５２ｄ…モニターデバイス、１０ａ-１０ｄ…第１〜第４光学系部分、２０Ａ，２０Ｂ…表示部、２１ａ，２１ｂ，２１ｃ…表示面、５１Ａ，５１Ｂ…モニター部、５２ａ，５２ｂ…モニターデバイス、５４…センサー、６１Ａ，６１Ｂ…表示駆動回路、７１…ケース、８０…制御回路部、８１…メモリー、９０…操作制御部、１００Ａ，１００Ｂ…接眼光学系、２００…画像表示装置、２００Ａ，２００Ｂ…画像表示部
【図１】
2019074679.tif 000004
【図２】
2019074679.tif 000005
【図３】
2019074679.tif 000006
【図４】
2019074679.tif 000007
【図５Ａ】
2019074679.tif 000008
【図５Ｂ】
2019074679.tif 000009
【図６Ａ】
2019074679.tif 000010
【図６Ｂ】
2019074679.tif 000011
【図７Ａ】
2019074679.tif 000012
【図７Ｂ】
2019074679.tif 000013
【図８】
2019074679.tif 000014
【図９】
2019074679.tif 000015
【図１０】
2019074679.tif 000016
【図１１Ａ】
2019074679.tif 000017
【図１１Ｂ】
2019074679.tif 000018
【図１２Ａ】
2019074679.tif 000019
【図１２Ｂ】
2019074679.tif 000020
【図１３】
2019074679.tif 000021
【図１４】
2019074679.tif 000022
【図１５】
2019074679.tif 000023
【図１６】
2019074679.tif 000024
【図１７】
2019074679.tif 000025
【図１８】
2019074679.tif 000026
【図１９】
2019074679.tif 000027
【図２０】
2019074679.tif 000028